(57)【特許請求の範囲】
【請求項１】
接触部材に配置された複数の発電素子を含む発電部からの発電情報に基づいて動線のパターンを取得し、取得した動線のパターンと正常な動線のパターンとを比較することにより異常の有無を判別する判別部を有する判別装置。
【請求項２】
前記接触部材上の所定部分を移動体が移動することにより、前記所定部分に対応する前記発電素子が発電する請求項１に記載の判別装置。
【請求項３】
前記複数の発電素子が前記接触部材にマトリクス状に配置される請求項１または２に記載の判別装置。
【請求項４】
前記発電素子は、印加される圧力により発電する請求項１乃至３のいずれかに記載の判別装置。
【請求項５】
前記発電部から前記判別部に対して電力が供給される請求項１乃至４のいずれかに記載の判別装置。
【請求項６】
前記判別部により前記異常が有ると判別された場合に、前記異常に対応する処理を行う処理部を有する請求項１乃至５のいずれかに記載の判別装置。
【請求項７】
前記発電部は、周囲の環境に存在するエネルギーに基づいて発電する請求項１乃至６のいずれかに記載の判別装置。
【請求項８】
前記判別部は、前記動線のパターンと正常な動線のパターンとの類似度が閾値より小さい場合に異常があると判別し、類似度が閾値より大きい場合に異常がないと判別する請求項１乃至７のいずれかに記載の判別装置。
【請求項９】
判別部が、接触部材に配置された複数の発電素子を含む発電部からの発電情報に基づいて動線のパターンを取得し、取得した動線のパターンと正常な動線のパターンとを比較することにより異常の有無を判別する判別装置における判別方法。
【請求項１０】
第１の装置と第２の装置とを含み、
前記第１の装置は、
接触部材に配置された複数の発電素子を含む発電部と、
発電した前記発電素子の位置情報を前記第２の装置に送信する第１の通信部とを有し、
前記第２の装置は、
前記位置情報を受信する第２の通信部と、
前記位置情報に基づいて動線のパターンを取得し、取得した動線のパターンと正常な動線のパターンとを比較することにより異常の有無を判別する判別部とを有する
判別システム。
【請求項１１】
前記第１の装置と前記第２の装置との間で無線による通信が行われる
請求項１０に記載の判別システム。
【発明の詳細な説明】
【技術分野】
【０００１】
本開示は、例えば、発電部からの発電情報に応じて異常の有無を判別する判別装置、判別方法および判別システムに関する。
【背景技術】
【０００２】
センサを使用して、対象の行動を検知することが行われている（例えば、下記特許文献１を参照）。センサを駆動するための電源として、一般に電池が使用される。
【先行技術文献】
【特許文献】
【０００３】
【特許文献１】特開２００６−３４０９０３号公報
【発明の概要】
【発明が解決しようとする課題】
【０００４】
対象の行動を検知するためには、センサを常に駆動しなければならない。このため、電池の交換や電池の充電を行う必要があり、煩雑であるという問題があった。さらに、電池の交換や電池の充電を怠った場合にはセンサの動作が停止し、必要なデータが得られないという問題があった。さらに、電源として商用電源が使用される場合には電気料金が課金される、商用電源を敷設するコストがかかる、レイアウトの自由度に制限があるという問題があった。
【０００５】
したがって、本開示の目的の一つは、電池を使用しない場合や電池からの電力の供給が停止した場合でも、異常の有無を判別できる判別装置、判別方法および判別システムを提供することにある。
【課題を解決するための手段】
【０００６】
上述した課題を解決するために、本開示は、例えば、
接触部材に配置された複数の発電素子を含む発電部からの発電情報に基づいて動線のパターンを取得し、取得した動線のパターンと正常な動線のパターンとを比較することにより異常の有無を判別する判別部を有する判別装置である。
【０００７】
本開示は、例えば、
判別部が、接触部材に配置された複数の発電素子を含む発電部からの発電情報に基づいて動線のパターンを取得し、取得した動線のパターンと正常な動線のパターンとを比較することにより異常の有無を判別する判別装置における判別方法である。
【０００８】
本開示は、例えば、
第１の装置と第２の装置とを含み、
第１の装置は、
接触部材に配置された複数の発電素子を含む発電部と、
発電した発電素子の位置情報を第２の装置に送信する第１の通信部とを有し、
第２の装置は、
位置情報を受信する第２の通信部と、
位置情報に基づいて動線のパターンを取得し、取得した動線のパターンと正常な動線のパターンとを比較することにより異常の有無を判別する判別部とを有する
判別システムである。
【発明の効果】
【０００９】
少なくとも一つの実施形態によれば、電池を使用しない場合や電池からの電力の供給が停止した場合でも、異常の有無を判別できる。
【図面の簡単な説明】
【００１０】
【図１】発電床の区画の一例を示す図である。
【図２】発電床のある断面の一例を示す図である。
【図３】電極の配置の一例を説明するための図である。
【図４】発電する発電素子の位置の一例を説明するための図である。
【図５】発電する発電素子の位置の他の例を説明するための図である。
【図６】動線のパターンの一例を説明するための図である。
【図７】判別装置および外部装置の構成の一例を示す図である。
【図８】判別装置の処理の一例を説明するためのフローチャートである。
【図９】あるユーザが移動する際の、速度の変化の一例等を示す図である。
【図１０】不審者が移動する際の、速度の変化の一例等を示す図である。
【図１１】携帯端末の概要を説明するための図である。
【図１２】携帯端末および外部装置の構成の一例を示す図である。
【図１３】携帯端末の処理の一例を説明するためのフローチャートである。
【図１４】携帯端末の処理の他の例を説明するためのフローチャートである。
【図１５】車両の速度等の変化の一例を示す図である。
【図１６】車載装置および外部装置の構成の一例を示す図である。
【図１７】車載装置の処理の一例を説明するためのフローチャートである。
【発明を実施するための形態】
【００１１】
以下、本開示の実施の形態について図面を参照しながら説明する。なお、説明は、以下の順序で行う。
＜１．第１の実施形態＞
＜２．第２の実施形態＞
＜３．第３の実施形態＞
＜４．変形例＞
なお、以下に説明する実施形態および変形例は、本開示の好適な具体例であり、本開示の内容がこれらの実施形態および変形例に限定されるものではない。
【００１２】
本開示における発電部は、周囲の環境に存在するエネルギーに基づいて発電する。発電部は、例えば、光や熱、振動、電波に基づいて発電する。これらのエネルギーは、自然界に存在するものに限られない。例えば、ユーザや乗物などの移動体が発する熱（例えば、ユーザの体表面の熱や車両のエンジンが発する熱）や、移動体の動きに伴う圧力や振動、ユーザや移動体が具備する電子機器が発する電磁波であってもよい。
【００１３】
＜１．第１の実施形態＞
始めに、第１の実施形態について説明する。第１の実施形態では、異常として、所定の空間への不審者の侵入を例にして説明する。第１の実施形態では、発電床が使用される。発電床とは、例えば、床材やカーペットなどのユーザが接触する接触部材に、複数の発電素子が組み込まれたものである。もちろん、接触部材が床材等に限定されることはない。さらに、足裏や靴底が接触する態様に限定されることはない。例えば、車両のタイヤが発電床に接触してもよい。さらに、接触部材に接触することには、直接的な接触に限られず、発電床に敷かれたカーペット上をユーザが歩行するような間接的な接触を含む。
【００１４】
「発電床の概要」
図１は、発電床を上面から見た図（上面図）の一例である。発電床１は、例えば、複数のブロックＢＬに分割され、各ブロックＢＬの位置がX座標およびY座標で規定される。発電床１上を、移動体の一例であるユーザＵが移動する。ブロックＢＬ毎の対応する位置に発電素子が組み込まれている。なお、ブロックＢＬの区画は、通常、発電床１の表面に表示されることはなく、どの区画を移動しているかをユーザＵが認識することはない。
【００１５】
発電素子は、例えば、圧電材料と圧電材料の両端の電極から構成される圧電素子である。圧電素子が電圧を発生する仕組みは既に公知であるため、概略的な説明に留める。圧電材料に圧力を与えてひずみを発生させると、分極現象によって表面に電荷が現れ、電圧として観測される。反対に、圧電材料に張力を与えると逆符号の電圧が観測される。
【００１６】
圧電材料は、チタン酸ジルコン酸鉛（PZT）、チタン酸鉛（PbTiO3）、タンタル酸リチウム（LiTaO3）、ニオブ酸リチウム（LiNbO3）、リチウムテトラボレート（Li2B4O7）、ランガサイト（La3Ga5SiO14）、水晶（SiO2）、酸化亜鉛（ZnO）、酒石酸カリウム-ナトリウム（KNaC4H4O6）、窒化アルミニウム（AlN）、トルマリン（tourmaline：ケイ酸塩鉱物）、ポリフッ化ビニルデン（PVDF）、VDFオリゴマー、フッ素系圧電材料などである。これらは、バルク型でもよく、薄膜成膜やコーティングされたものでもよい。
【００１７】
ユーザＵが移動する際の踏み込む圧力により、ユーザＵが移動したブロックＢＬの発電素子が発電する。例えば、図１では、座標（３，５）の位置の発電素子が発電する。したがって、ユーザが座標（３，５）のブロックＢＬ上を移動していることが判別できる。発電した発電素子の位置の履歴をとれば、ユーザＵの移動の軌跡を得ることができる。
【００１８】
図２は、発電床のある断面の一例を示す断面図である。基板やフィルム、シートなどのベース層１０に対して、下部電極１１、圧電材料（圧電膜または圧電シート）１２、上部電極１３が積層され、上部電極１３の一面には保護膜１４が塗布されている。保護膜１４上をユーザＵが移動する。ユーザＵが移動した箇所で発電がなされる。各部を積層する方法としては、蒸着、スパッタ、コーティング、キャスト、ラミネート、印刷などが例示される。これらの方法のうち、ベース層１０の材料や圧電材料１２の種類を考慮して、適切な方法が選択される。なお、図２では、下部電極１１および上部電極１３のそれぞれを支持する支持部材の図示を省略している。下部電極１１および上部電極１３を、圧電素子に直接、積層（蒸着やスパッタ、コーティングなど）する場合は、支持部材は不要となる。
【００１９】
「電極の配置の一例」
図３は、下部電極１１および上部電極１３の配置の一例を示す。下部電極１１は、例えば、短冊状の電極を複数、有し、複数の短冊状の電極（電極１１ａ、電極１１ｂ、電極１１ｃ・・・電極１１ｎ）がシート１８の一面に貼着された構成とされる。個々の電極を区別する必要がない場合は、単に、下部電極１１と称する。
【００２０】
上部電極１３は、例えば、短冊状の電極を複数、有し、複数の短冊状の電極（電極１３ａ、電極１３ｂ、電極１３ｃ・・・電極１３ｎ）がシート１９の一面に貼着された構成とされる。個々の電極を区別する必要がない場合は、単に、上部電極１３と称する。なお、シートのサイズや形状、電極の個数やサイズ、形状などは、発電床１のサイズ等に応じて適切に設定される。
【００２１】
下部電極１１の長手方向と上部電極１３の長手方向とが略直交するようにして、対向する。図２で説明したように、下部電極１１と上部電極１３との間の対向空間に圧電材料が配される。例えば、下部電極１１と上部電極１３とが交差する箇所が、発電素子に対応する。すなわち、発電床１では、複数の発電素子がマトリクス状に配される。１の発電素子が配される箇所が１のブロックＢＬに対応している。なお、圧電材料は、１枚のシート状のものでもよく、下部電極１１と上部電極１３とが交差する箇所毎に圧電材料が配される構成としてもよい。
【００２２】
例えば、図４に示す発電床１の位置Ｐ１をユーザＵが移動すると、電極１１ｉと電極１３ｈとが交差する箇所（座標(9,8)）の発電素子が発電する。電極１１ｉには、例えば、マイナスの電荷が発生し、電極１３ｈには、例えば、プラスの電荷が発生する。
【００２３】
図５に示すように、位置Ｐ１から位置Ｐ２へユーザが移動したとする。この場合は、電極１１ｃと電極１３ｅとが交差する箇所（座標(3,5)）の発電素子が発電する。電極１１ｃには、例えば、マイナスの電荷が発生し、電極１３ｅには、例えば、プラスの電荷が発生する。
【００２４】
さらに、位置Ｐ１から位置Ｐ２への移動の際に、ユーザが通過したブロックＢＬの発電素子が発電する。このため、発電した発電素子をモニタリングすることで、少なくとも、ユーザの現在の位置および移動の軌跡に関する情報を得ることができる。なお、以下の説明において、移動の軌跡を動線と称することもある。
【００２５】
「動線の解析の一例」
図６は、動線の解析の一例を示す。図６は、建物内の所定の空間２０の床に発電床１が敷設された例である。空間２０に対する入口が設けられるとともに、３つの出口（出口１、出口２および出口３）が設けられている。空間２０には、例えば、倉庫１、倉庫２、金庫室１および金庫室２が設置されており、個々の設置物の中心に柱が設けられている。
【００２６】
個々の設置物には、不審者や部外者の侵入を防止するためのドアが設けられており、各ドアを施錠できるように構成されている。例えば、倉庫１にはドア１が設けられ、倉庫２にはドア２が設けられ、金庫室１にはドア３が設けられ、金庫室２にはドア４が設けられている。なお、空間２０内の床を発電床１として構成するとともに、各設置物の内部の床を発電床１で構成してもよい。
【００２７】
権限あるユーザＵや不審者等が発電床１上を移動すると、移動した箇所の発電素子が発電する。発電した発電素子の位置の履歴をモニタリングすることで、動線を得られる。通常、ユーザＵは、入口から空間２０に進入し、目的する設置物の近傍を通る。設置物付近で所用を済ませたユーザは、出口１などから空間２０の外に退出する。
【００２８】
倉庫２に用事があるユーザＵは、入口から空間２０内に進入し、最寄りの出口である出口２を介して空間２０から退出する。このため、倉庫２に用事があるユーザＵの動線は、点線１や点線２で示すような、おおむね直線状のパターンになる。金庫室２に用事があるユーザＵは、入口から空間２０内に進入し、出口２を介して空間２０から退出する。このため、金庫室２に用事があるユーザＵの動線は、点線３や点線４で示すような、おおむね直線状のパターンになる。
【００２９】
倉庫１に用事があるユーザＵは、入口から空間２０内に進入し、出口１を介して空間２０から退出する。このため、倉庫１に用事があるユーザＵの動線は、点線５で示すように、柱付近で左方向に略直角に折れ曲がるパターンになる。金庫室１に用事があるユーザＵは、入口から空間２０内に進入し、出口３を介して空間２０から退出する。このため、金庫室１に用事があるユーザＵの動線は、点線６で示すように、柱付近で右方向に略直角に折れ曲がるパターンになる。
【００３０】
ユーザＵが通常、とり得る行動に伴う動線のパターンは、正常な動線のパターンとして記憶される。例えば、点線１〜６で示される動線のパターンがデータベースに記憶される。正常な動線のパターンが外部の装置から供給されるようにしてもよい。
【００３１】
一方で、不審者（例えば、泥棒）の動線のパターンは、正常な動線のパターンと異なる。入口から空間２０に侵入した不審者は、倉庫や金庫室への侵入を試みる。このため、不審者の動線のパターンは、実線７で示すような、ドア１〜ドア４を経由する蛇行したパターンとなる。
【００３２】
このように、正常なパターン（直線状のパターンや柱付近で折れ曲がるパターン）ではないパターンで移動する人物を、不審者として特定する。例えば、実線７で示す動線のパターンで移動する人物が不審者として特定される。不審者を判別する処理は、判別装置によって行われる。
【００３３】
「判別装置の構成」
図７は、判別装置の構成の一例を示す。判別装置１００は、複数の発電素子を含む発電部１１０を有する。複数の発電素子は、上述したように、発電床１にマトリクス状に配される。
【００３４】
判別装置１００は、さらに、整流回路１２０、蓄電素子１３０および定電圧回路１４０を含む構成とされる。例えば、整流回路１２０、蓄電素子１３０および定電圧回路１４０により、電源部が構成される。判別装置１００は、制御部１５０、演算部１６０、通信部１７０およびアンテナ１８０を含む構成とされる。なお、判別装置１００の構成は一例であり、図示した構成に限定されるものではない。例えば、判別装置１００が、警報音を出力するスピーカ等の音声出力装置などを有する構成としてもよい。
【００３５】
整流回路１２０は、発電部１１０で発生された電圧を整流する回路である。整流回路１２０は、例えば、ダイオードやダイオードブリッジから構成される。
【００３６】
蓄電素子１３０は、例えば、電気二重層キャパシタ、リチウムイオンキャパシタ、ポリアセン系有機半導体（Polyacenic Semiconductor（ＰＡＳ））キャパシタ、ナノゲートキャパシタ（「ナノゲート」は、ナノゲート・アクチエンゲゼルシャフトの登録商標）、セラミックコンデンサ、フィルムコンデンサ、アルミ電解コンデンサ、タンタルコンデンサなどである。これらを組み合わせて使用する複合利用でも構わない。蓄電素子１３０は、整流回路１２０から出力される直流電圧により蓄電する。
【００３７】
定電圧回路１４０は、蓄電素子１３０の出力電圧を所定の電圧に変換して、出力電圧を安定させる回路である。定電圧回路１４０からの出力電圧が、例えば、制御部１５０、演算部１６０および通信部１７０に供給される。
【００３８】
このように、発電部１１０が発電した電力を蓄電し、蓄電した電力を判別装置の各部に対して供給することができる。このため、例えば、判別装置１００を動作させるための電池等の電源を不要とすることができ、電池の交換や電池の充電を行う必要がない。なお、本開示は、電池等の使用を絶対的に排除するものではなく、例えば、２次電池とキャパシタなどの複合利用でも構わない。電池を使用した場合でも、発電部１１０からの電力を判別装置の各部に対して供給することで、電池の消耗や電池の劣化を抑制できる。
【００３９】
制御部１５０は、例えば、ＣＰＵ(Central Processing Unit)から構成され、判別装置１００の各部を制御する。演算部１６０は、発電部１１０の発電情報を使用して、不審者を特定するための処理を行う。演算部１６０にはメモリ（図示は省略している）が接続されている。メモリに正常な動線のパターンが記憶される。正常な動線のパターンが外部の装置から判別装置１００に供給されてもよい。
【００４０】
演算部１６０は、あるユーザの所定の動線のパターンと正常な動線のパターンを比較し、当該ユーザが不審者であるか否かの判別を行う。演算部１６０の機能が制御部１５０に組み込まれていてもよい。
【００４１】
通信部１７０は、判別装置１００と外部装置２００等との間の通信を行うためのインタフェースである。通信部１７０によってなされる通信は、有線または無線のいずれの通信でもよく、人体等の媒体を介した通信でもよい。また、例えば、判別装置１００が外部装置２００へ通信するのに十分でない発電量の場合には、近くの他の判別装置１００との通信を経由して、外部装置２００と通信を行うようにしてもよい。但し、この場合には、判別装置１００は、送受信できる機能を備える。
【００４２】
無線の方式による通信としては、例えば、赤外線を用いた通信や、短距離低消費電力型のＡＮＴ規格による通信、「Ｚ−Ｗａｖｅ（Zensys A/S CORPORATIONの米国登録商標）」規格による通信、「Ｚｉｇｂｅｅ（ジッグビー  アライアンスの登録商標）」規格による通信、「Ｂｌｕｅｔｏｏｔｈ  Ｌｏｗ  Ｅｎｅｒｇｙ（「Ｂｌｕｅｔｏｏｔｈ」は、ブルートゥース  エスアイジー，インコーポレイテッドの登録商標）」規格による通信、ネットワーク形成が容易な「Ｗｉ  Ｆｉ（ワイ  ファイ・アライアンスの登録商標）」による通信などを利用することができるが、これらに限定されるものではない。
【００４３】
通信部１７０は、データを所定の方式で変調したり、受信したデータを復調する処理を行う。通信部１７０によって処理を施されたデータがアンテナ１８０を介して外部装置２００へ送信される。外部装置２００から送信されたデータが、アンテナ１８０によって受信される。受信されたデータに対して、通信部１７０による復調処理やエラー訂正処理等の処理が行われる。
【００４４】
「外部装置の構成」
外部装置の構成の一例について説明する。外部装置２００は、例えば、セキュリティセンタであり、判別装置１００とは離隔された位置に存在する。外部装置２００は、判別装置１００が設置された場所のセキュリティを監視する。外部装置２００は、例えば、制御部２１０、メモリ２２０、表示部２３０および通信部２４０を含む構成とされる。これらの各部は、バス２５０を介して接続されている。通信部２４０は、アンテナ２６０と接続されている。
【００４５】
制御部２１０は、例えば、ＣＰＵで構成され、外部装置２００の各部を制御する。メモリ２２０は、例えば、制御部２１０のワークエリアとして使用される。メモリ２２０に、制御部２１０によって実行されるプログラムや表示部２３０に表示するための表示データが記憶されてもよい。
【００４６】
表示部２３０は、例えば、ＬＣＤ(Liquid Crystal Display)などの表示パネルと、表示パネルを駆動するためのドライバを含む。表示部２３０の表示パネルは、比較的、大型とされる。表示部２３０には、例えば、地図データに基づく地図が表示され、判別装置１００などの位置や、巡回中の警備員の位置などが表示される。
【００４７】
通信部２４０は、データを所定の方式で変調したり、受信したデータを復調する処理を行う。通信部２４０によって処理を施されたデータがアンテナ２６０を介して他の装置へ送信される。例えば、判別装置１００や警備員が有する端末に対して、データが送信される。判別装置１００から送信されたデータが、アンテナ２６０によって受信される。例えば、判別装置１００から送信された異常報知信号がアンテナ２６０で受信される。受信されたデータに対して、通信部２４０による復調処理やエラー訂正処理等の処理が行われる。
【００４８】
「判別装置の動作の一例」
図８のフローチャートを参照して、判別装置１００の動作の一例を説明する。あるユーザ（この段階では、ユーザが、権限あるユーザか不審者であるかは不明である）が発電床１上を移動する（ステップＳ１）。ユーザの移動にともない、移動した箇所における発電素子が発電する。発電素子が発電したことによる電圧波形が制御部１５０を介して演算部１６０に供給される。なお、電圧波形が制御部１５０でデジタル化されてもよい。演算部１６０により電圧波形がデジタル化されてもよい。演算部１６０は、電圧波形をモニタリングする（ステップＳ２）。
【００４９】
演算部１６０は、電圧波形をモニタリングすることで、発電した発電素子を特定する。そして演算部１６０は、発電した発電素子の位置を特定し、位置情報を取得する（ステップＳ３）。発電した発電素子の位置情報が、発電情報の一例とされる。発電情報は、電圧波形そのものでもよく、電圧波形に基づいて得られる情報でもよい。発電情報は、電圧波形の最大レベルなどでもよい。発電情報は、例えば、あるブロックＢＬの発電素子が電圧波形を発生したタイミングと、ブロックＢＬに隣接するブロックの発電素子が電圧波形を発生したタイミングとの時間的な間隔でもよい。発電情報は、発電素子毎に割り当てられる個体識別情報でもよい。例えば、出力電圧がある閾値以上になった発電素子の個体識別情報が発電情報として使用されてもよい。
【００５０】
発電した発電素子の位置情報の履歴をとることで、あるユーザの動線のパターンが解析される（ステップＳ４）。演算部１６０は、メモリから正常な動線のパターンを読み出す。演算部１６０は、正常な動線のパターンと、あるユーザの動線のパターンとを比較する（ステップＳ５）。比較処理は、例えば、リアルタイムに行われる。
【００５１】
この比較処理によって、例えば、正常な動線のパターンと、あるユーザの動線のパターンとの類似度が算出される。算出された類似度が所定の閾値より小さい場合に、あるユーザが不審者と判断され、異常が有ると判別される。算出された類似度が所定の閾値より大きい場合に、あるユーザが不審者ではないと判断され、異常が無いと判別される（ステップＳ６）。
【００５２】
異常が無いと判別されると、処理がステップＳ２の処理に戻る。ステップＳ２の処理では、例えば、他のユーザの移動にともって生じる電圧波形のモニタリングがなされる。この場合に、あるユーザの動線のパターンを正常な動線のパターンとしてメモリに記憶してもよい。さらに、メモリの内部もしくは外部に学習機能を設け、判定に必ず必要のない発電素子を登録してもよい。この発電素子が、アクティブになる（発電する）ことが多ければ、当該発電素子に中継機能を持たせてもよい。例えば、アクティブになる機会が少なく発電量が少ないため、送信距離が限られる発電素子に対して、信号の増幅などを行う中継機能を持たせてもよい。発電素子に対してこのような役割を動的に配置することで、システムの効率化・最適化を行うことができる。
【００５３】
異常が有ると判別されると、異常対応処理が行われる（ステップＳ７）。異常対応処理の内容は、例えば、外部装置２００に対して異常が生じたことを報知する処理である。もちろん、判別装置１００において、警報等を鳴動させるなどの異常対応処理がなされてもよい。
【００５４】
判別装置１００で行われる異常対応処理の内容の一例について説明する。異常が生じたと判別されると、制御部１５０または演算部１６０は、異常が生じたことを示す所定のビット列の信号（以下、異常報知信号と適宜、称する）を生成する。異常報知信号には、判別装置１００が存在する場所を示す位置情報が含まれる。生成された異常報知信号が通信部１７０によって変調される。変調された異常報知信号が、アンテナ１８０を介して外部装置２００に送信される。
【００５５】
異常報知信号を受け取った外部装置２００は、例えば、判別装置１００が存在する場所へ警備員を向かわせる等の指示を行うことができる。このように、外部装置２００において異常対応処理を行うことも可能である。
【００５６】
なお、不審者であるか否かの判断対象とされるユーザは複数でもよい。演算部１６０が、図８に例示した処理を並列して行うことで、複数のユーザに対して、不審者であるか否かの判断を行うことができる。
【００５７】
「外部装置の動作の一例」
外部装置２００の動作の一例について説明する。外部装置２００に対して、例えば、判別装置１００から異常報知信号が送信される。異常報知信号がアンテナ２６０により受信される。異常報知信号に対して、通信部２４０による復調等の処理が施される。処理が施された異常報知信号がバス２５０を介して制御部２１０に供給される。
【００５８】
制御部２１０は、異常報知信号を発した判別装置１００の場所の詳細を表示部２３０に表示する。そして、制御部２１０は、判別装置１００の近傍に存在する警備員に対して、判別装置１００が存在する場所に向かう指示を行う。例えば、判別装置１００の場所を含む指示信号が制御部２１０によって生成される。生成された指示信号に対して、通信部２４０による変調等の処理が施される。処理が施された指示信号がアンテナ２６０を介して送信される。
【００５９】
指示信号が警備員の携帯端末や巡回車によって受信される。警備員は、指示信号によって示される判別装置１００が存在する場所に向かうことができる。このようにして、外部装置２００における異常対応処理が行われる。異常対応処理における処理の一部が人為的に行われてもよい。
【００６０】
外部装置２００が判別装置１００を遠隔操作することで。異常対応処理が行われてもよい。例えば、外部装置２００が判別装置１００を遠隔操作することで、判別装置１００において警報を鳴動させたり、発電床１が敷設された空間の出入り口を閉鎖できるようにしてもよい。
【００６１】
「第１の実施形態の変形例」
第１の実施形態は、例えば、以下のように変形することができる。第１の実施形態では、あるユーザの動線のパターンと、正常な動線のパターンを比較して類似度を求めるようにしたが、演算部１６０がより詳細な演算を行うようにしてもよい。
【００６２】
例えば、発電した発電素子の位置情報を取得し、ユーザの行動の時系列モデルを取得する。時系列モデルの方向分布などの特徴量をベクトルで表現し、対応する確率的状態遷移モデルとして、それらのモデルが認識対象行動を生成する確率を演算部１６０が演算する。例えば、一般的な行動を確率が高いと表し、異常行動を確率が低いと表現する。認識対象行動を生成する確率が高く、通常の一般的な行動パターンと認識される（例えば、図６の点線１〜点線６で示したパターン）。認識対象行動を生成する確率が低く、異常行動パターンと認識される（例えば、図６の実線７で示したパターン）。
【００６３】
発電素子は、圧電素子に限定されることはない。例えば、磁歪素子、熱電変換素子（ゼーベック効果、スピンゼーベック効果を利用するものなど）、焦電素子、熱電子発電素子や外燃機関（熱音響発電やスターリングエンジン発電）、ユーザが携行している電子機器が発する電磁波でもよい。外部と通信を行う装置が発する電磁波により発電する発電機構としてはレクテナ、電磁誘導、磁界共鳴などを利用する発電機などでもよい。発電素子が、これらの１種以上の組み合わされたハイブリッドタイプの発電素子であってもよい。ユーザの動作により発電する発電機構としては、電磁誘導現象やエレクトレットなどを利用する発電機が挙げられる。発電部１１０が、発電素子と機械的機構との組み合わせによる発電モジュールとして構成されていてもよい。
【００６４】
なお、異常の有無を判別するために使用される発電情報は、動線のパターンに限定されることはない。例えば、所定のブロックＢＬに配される発電素子の発電量を発電情報として使用してもよい。
【００６５】
図９は、ユーザＵの移動の速度等を模式的に示したものである。ユーザＵは不審者ではない。図９Ａに示すように、ユーザＵが発電床１上を移動する。移動の途中で、ユーザＵは、施錠が施されたドアＤ１およびドアＤ２付近を通過する。図９Ｂは、ユーザＵの移動の速度を示す。ユーザＵの速度は、略一定となる。
【００６６】
図９Ｃは、ブロックＢＬ毎の発電素子が発電する発電量または検出される出力を示す。発電量の１サイクルの脈動（パルス）は、歩幅とリンクしている。ユーザＵが、例えば、ブロックＢＬ１を踏み込み、踏み込んだ足を持ち上げる動作に応じて、ブロックＢＬ１に配される発電素子が発電する。踏み込む圧力と、踏み込んだ足を持ち上げる張力によって、正負の電圧波形が観測される。発電量は、例えば、電圧波形に囲まれる面積によって規定される。ユーザＵが次のブロックＢＬ２に移動すると、ブロックＢＬ２に配された発電素子が同様に発電する。
【００６７】
ドアＤ１付近のブロックＢＬｍをユーザＵが通過したときは、ブロックＢＬｍに配された発電素子が発電する。このとき、ブロックＢＬｍに配された発電素子が発電する発電量は、例えば、ブロックＢＬ１に配された発電素子が発電する発電量と略等しい。ドアＤ２付近のブロックＢＬｎをユーザＵが通過したときは、ブロックＢＬｎに配された発電素子が発電する。このとき、ブロックＢＬｎに配された発電素子が発電する発電量は、例えば、ブロックＢＬ１に配された発電素子が発電する発電量と略等しい。このように、ユーザＵが発電床１を移動するときは、各ブロックＢＬに配された発電素子が発電する発電量は、さほど変化せず略一定となる。
【００６８】
図９Ｄは、蓄電素子１３０の蓄電量の変化の一例を示す。移動されるブロックＢＬに配された発電素子が発電することで、蓄電素子１３０が蓄電される。発電素子が発電することで、略線形に蓄電素子１３０の蓄電量が増加する。
【００６９】
図１０は、不審者ＳＵの移動の速度等を模式的に示したものである。図１０Ａに示すように、不審者ＳＵが発電床１上を移動する。移動の途中、不審者ＳＵは、施錠が施されたドアＤ１およびドアＤ２付近を通る。不審者ＳＵは、ドアＤ１やドアＤ２の施錠を破壊して侵入を試みる。
【００７０】
図１０Ｂは、不審者ＳＵの移動の速度を示す。不審者ＳＵは、ドアＤ１やドアＤ２の施錠を破壊しようとするため、ドアＤ１やドアＤ２付近で立ち止まる。このため、ドアＤ１やドアＤ２付近での速度が略０になる。
【００７１】
図１０Ｃは、不審者ＳＵの移動にともなって、各ブロックＢＬの発電素子が発電する発電量を示す。発電量の１サイクルの脈動（パルス）は、歩幅とリンクしている。ドアＤ１付近のブロックＢＬｍで、不審者ＳＵは、ほぼ立ち止まった状態となる。そして、ドアＤ１の施錠を破壊して侵入を試みる。ブロックＢＬｍに配される発電素子は、不審者ＳＵの連続した僅かな動きや小さな歩幅の動きに応じて、微小の電圧を複数回、発生する。
【００７２】
不審者ＳＵは、さらに、移動してドアＤ２付近のブロックＢＬｎに移動する。ドアＤ２付近のブロックＢＬｎで、不審者ＳＵは、ほぼ立ち止まった状態となる。そして、ドアＤ２の施錠を破壊して侵入を試みる。ブロックＢＬｎに配される発電素子は、不審者ＳＵの連続した僅かな動きや小さな歩幅の動きに応じて、微小の電圧を複数回、発生する。その後に、不審者ＳＵは、逃走を図る。このため、図１０Ｂに示すように、不審者ＳＵの移動の速度が大きくなる。さらに、踏み込む圧力が増加し、発電量が増加する。もしくは、不審者ＳＵの歩幅が大きくなることで、例えば、２つのブロックＢＬ毎のように間欠的に電圧波形が得られる。
【００７３】
図１０Ｄは、蓄電素子１３０に蓄電される蓄電量の変化の一例を示す。不審者ＳＵがドアＤ１やドアＤ２付近にいる場合は、発電素子が発電する発電量は微小である。このため、蓄電素子１３０に蓄電される蓄電量が低下する。不審者ＳＵが歩行や走行している間は、蓄電量が増加する。
【００７４】
このように、ユーザＵの移動にともなって、ブロックＢＬｍに配される発電素子が発電する発電量と、不審者ＳＵの移動にともなって、ブロックＢＬｍに配される発電素子が発電する発電量とが相違する。ブロックＢＬｎに配される発電素子についても同様である。このため、ブロックＢＬｍに配される発電素子やブロックＢＬｎに配される発電素子の発電量を監視することで、あるユーザが不審者であるか否かの判断を行うことができる。ブロックＢＬｍおよびブロックＢＬｎに配される発電素子が発電する発電量が、他の発電素子が発電する発電量に比べて微小であれば、不審者である可能性が高いと判断してもよい。
【００７５】
発電量に限らず、電圧波形そのものを監視してもよい。例えば、ブロックＢＬｍやブロックＢＬｎに配される発電素子が発電した際の電圧波形が、微小なレベルの複数の電圧波形である場合には、不審者である可能性が高いと判断してもよい。さらに、第１の実施形態で説明した動線のパターンによる判断と組み合わせてもよい。例えば、動線のパターンが正常のパターンと相違し、かつ、ブロックＢＬｍに配される発電素子が発電する発電量が、他の発電素子が発電する発電量に比べて微小であれば、不審者である可能性が高いと判断してもよい。
【００７６】
あるブロックＢＬの発電素子の電圧波形が検出されたタイミングから、次のブロックＢＬの発電素子の電圧波形が検出されたタイミングまでの時間間隔を発電情報としてもよい。この時間間隔が短いことは、発電床１上を走っていることを意味する。通常、発電床１を走ることは稀である。電圧波形が検出されるタイミング間の時間間隔が短い場合には、不審者である可能性が高いと判断するようにしてもよい。
【００７７】
なお、例えば、警備員が各ドアの施錠を確認する場合に、警備員の動線のパターンが実線７で示す動線のパターンと類似することが有り得る。このため、警備員が巡回する所定の時間帯に、実線７で示す動線のパターンが検出された場合には、不審者ではないと判断するようにしてもよい。時間情報を取得するために、判別装置１００や外部装置２００がＲＴＣ(Real Time Clock)を有する構成としてもよい。
【００７８】
さらに、セキュリティセンタなどの外部装置２００が演算部１６０の機能を有するようにしてもよい。正常な動線のパターンが外部装置２００に記憶されてもよい。そして、外部装置２００を判別装置として構成してもよい。
【００７９】
例えば、発電素子が発電すると、制御部１５０は、発電した発電素子の位置情報をデジタル化する。デジタル化された複数の位置情報に対して、通信部１７０による変調処理等が施される。変調処理等が施された複数の位置情報が、例えば、時分割多重されて外部装置２００に送信される。
【００８０】
発電素子の位置情報が外部装置２００により受信される。受信された位置情報に対して、通信部２４０による復調処理等が施される。復調処理等が施された複数の位置情報がバス２５０を介して制御部２１０に供給される。制御部２１０は、複数の位置情報に基づいて動線のパターンを取得する。そして、メモリ２２０に記憶された正常な動線のパターンとの比較を行う。すなわち、制御部２１０は、演算部１６０と同様の処理を行う。このように、異常の有無の判別を外部装置２００が行うようにしてもよい。外部装置２００が異常の有無の判別をすることで、判別装置１００における消費電力を低減できる。
【００８１】
判別装置１００から送信される異常報知信号を外部装置２００が受信した場合に、外部装置２００において警報やサイレンなどを鳴動させてもよい。警報やサイレンなどを鳴動させるための、音声出力装置が外部装置２００に設けられてもよい。音声出力装置は、例えば、音声インタフェースやアンプなどの構成を含むスピーカによって構成される。
【００８２】
第１の実施形態は、不審者の侵入を判別することに限定されることなく、他のシステムへの転用も可能である。例えば、老人が居住する家屋に発電床１を敷設してもよい。例えば、所定の時間（例えば、数時間程度）発電床１の発電素子が発電しない場合に、老人の安否を確認する処理を行うようにしてもよい。さらに、例えば、熱による発電を利用した場合に、対象者の体温に異常があるかどうかや、対象者が熱源を有しているかどうかを判定してもよい。前者であれば、疾病などの感染ルートの特定や疾病者の入室を管理することができる。さらには、疾病者から正常者への空気感染を防止するために、気流や空調コントロールシステムを適切に制御することができる。後者であれば、反応性ガスが充満するエリアなどの危険度が高いエリアに、熱源を有する対象者が入室しないように管理することができる。電磁波による発電を利用した場合は、例えば、電磁波による影響が深刻な医療現場などにおいて、注意を喚起する処理を行うことができる。
【００８３】
＜２．第２の実施形態＞
次に、第２の実施形態について説明する。第１の実施形態では、異常を判別する処理の一例として、不審者の有無を判別するようにした。第２の実施形態では、異常を判別する処理を、ユーザに生じるトラブルの有無を判別する処理として説明する。ユーザに生じるトラブルとは、ユーザの突発的な体調の不良や、ユーザが不審者に遭遇する、ユーザが交通事故に遭遇する等である。
【００８４】
「携帯端末の概要」
図１１は、判別装置の一例である携帯端末の一例を示す。携帯端末３００は、例えば、携帯電話やスマートフォン、タブレット型のコンピュータなどである。携帯端末３００は、例えば、ユーザの体表面に接触するようにして携帯される。携帯端末３００には、例えば、振動による変位により発電する発電部３０１、ユーザの心拍を検知する心拍センサ３０２、ユーザの発汗を検知する発汗センサ３０３が内蔵される。
【００８５】
なお、心拍センサ３０２や発汗センサ３０３は、携帯端末３００に内蔵されなくてもよい。心拍センサ３０２や発汗センサ３０３が、携帯端末３００とは独立してユーザの身体に取り付けられてもよい。心拍センサ３０２や発汗センサ３０３によって取得されるセンサ情報が、無線による通信や有線による通信、人体による通信を介して、携帯端末３００に供給されるようにしてもよい。
【００８６】
発電部３０１は、例えば、棒状の圧電素子３０１ａ（圧電素子の電圧を検出する電極を含む）を有する。圧電素子３０１ａは、例えば、一端が固定された片持ち梁とされる。圧電素子３０１ａの自由端には錘３０１ｂが取り付けられている。錘３０１ｂは、携帯端末３００の振動に応じて、水平または垂直方向に振動する。錘３０１ｂが振動することにより圧電素子３０１ａが変位し、圧電素子３０１ａが発電する。
【００８７】
「携帯端末の構成の一例」
図１２は、携帯端末３００の主要な構成の一例を示す。携帯端末３００は、後述するように外部装置４００等と通信を行うことができる。外部装置４００は、ホストセンタやセキュリティセンタなどである。携帯端末３００は、発電部３０１を有する。発電部３０１は、例えば、圧電素子（モノモルフ型、バイモルフ型、積層型など）により構成される。
【００８８】
発電部３０１は、圧電素子に限定されることはない。発電部３０１は、例えば、磁歪素子、ユーザの体表面の温度変化などで発電する熱電変換素子（ゼーベック効果やスピンゼーベック効果を利用するものなど）、焦電素子、熱電子発電素子や外燃機関（熱音響発電やスターリングエンジン発電）、ユーザが携行している電子機器が発する電磁波でもよい。外部と通信を行う装置が発する電磁波により発電する発電機構としてはレクテナ、電磁誘導、磁界共鳴などを利用する発電機などでもよい。発電素子が、これらの１種以上の組み合わされたハイブリッドタイプの発電素子であってもよい。ユーザの動作により発電する発電機構としては、電磁誘導現象やエレクトレットなどを利用する発電機が挙げられる。発電部３０１が、発電素子と機械的機構との組み合わせによる発電モジュールとして構成されていてもよい。
【００８９】
携帯端末３００は、さらに、整流回路３０６、蓄電素子３０７および定電圧回路３０８を含む構成とされる。例えば、整流回路３０６、蓄電素子３０７および定電圧回路３０８により、電源部が構成される。携帯端末３００は、制御部３０９、演算部３１０、通信部３１１およびアンテナ３１２を含む構成とされる。
【００９０】
携帯端末３００は、ユーザの身体の状況を検出するセンサとして、心拍センサ３０２および発汗センサ３０３を有する。心拍センサ３０２は、携帯端末３００のユーザの心拍数を取得する。発汗センサ３０３は、携帯端末３００のユーザの発汗量を取得する。これらのセンサから得られるセンサ情報をモニタリングすることで、例えば、ユーザの健康を管理するために携帯端末３００を使用することができる。
【００９１】
心拍センサ３０２により取得される心拍数が異常である場合は、例えば、ユーザが驚愕している等の不安定な心理状態である。発汗センサ３０３の数値が異常である場合は、例えば、ユーザが冷や汗をかいている状態なと、ユーザの体調や心理状態が平穏でない状態が想定される。
【００９２】
携帯端末３００は、携帯端末３００の位置を取得するＧＰＳ(Global Positioning System)センサ３０４や携帯端末の進行方向を検知する地磁気センサ３０５を有する。携帯端末３００が、加速度センサやジャイロセンサを有する構成としてもよい。加速度センサやジャイロセンサを使用して、ユーザの動作状態を検出してもよい。ＧＰＳセンサ３０４によって取得された携帯端末３００の位置情報は、例えば、周期的に外部装置４００に送信される。
【００９３】
心拍センサ３０２、発汗センサ３０３、ＧＰＳセンサ３０４および地磁気センサ３０５を適宜、センサ部と総称する。なお、例示されたセンサを携帯端末３００が全て有する必要はない。例示されたセンサのうち、一部のセンサを携帯端末３００が有する構成としてもよい。
【００９４】
携帯端末３００の構成は一例であり、図示した構成に限定されるものではない。例えば、携帯端末３００が、警報音やサイレン、救援信号（ＳＯＳ）を出力するスピーカ等の音声出力装置などを有する構成としてもよい。携帯端末３００に、脳波を測定するセンサなどが設けられてもよい。なお、図１２では、表示部や操作部などの一部の構成に関する図示を適宜、省略している。
【００９５】
整流回路３０６は、発電部３０１で発生された電圧を整流する回路である。整流回路３０６は、例えば、ダイオードやダイオードブリッジから構成される。
【００９６】
蓄電素子３０７は、例えば、電気二重層キャパシタ、リチウムイオンキャパシタ、ポリアセン系有機半導体（Polyacenic Semiconductor（ＰＡＳ））キャパシタ、ナノゲートキャパシタ、セラミックコンデンサ、フィルムコンデンサ、アルミ電解コンデンサ、タンタルコンデンサなどである。蓄電素子３０７は、整流回路３０６から出力される直流電圧により蓄電する。
【００９７】
定電圧回路３０８は、蓄電素子３０７の出力電圧を所定の電圧に変換して、出力電圧を安定させる回路である。定電圧回路３０８からの出力電圧が、例えば、制御部３０９、演算部３１０、通信部３１１およびセンサ部に供給される。
【００９８】
発電部３０１が発電した電力を蓄電し、蓄電した電力を携帯端末３００の各部に対して供給することができる。このため、例えば、携帯端末３００を動作させるための電池等の電源を不要とすることができ、電池の交換や電池の充電を行う必要がない。なお、本開示は、電池の使用を絶対的に排除するものではない。電池を使用した場合でも、携帯端末３００の各部に対して発電部３０１からの電力を供給することで、電池の消耗や電池の劣化を抑制できる。
【００９９】
制御部３０９は、例えば、ＣＰＵから構成され、携帯端末３００の各部を制御する。制御部３０９には、発電部３０１からの発電情報が供給される。また、制御部３０９には、センサ部からのセンサ情報が供給される。制御部３０９は、発電情報やセンサ情報を、演算部３１０に供給する。発電情報やセンサ情報が、制御部３０９によりデジタル化されてもよい。
【０１００】
演算部３１０は、発電部３０１の発電情報およびセンサ情報を使用して、例えば、ユーザの突発的な体調の不良を検出する。発電情報およびセンサ情報のいずれか一方を使用してユーザの突発的な体調の不良を検出してもよい。例えば、素子を通過する熱量にて発電する発電部の発電量により、代謝熱量をモニタしてもよい。さらに、精度よく検出を行うために発電情報およびセンサ情報を使用してもよい。
【０１０１】
演算部３１０にはメモリ（図示は省略している）が接続されている。メモリに、ユーザが正常な状態での心拍数の範囲や発汗量のパターンが記憶される。演算部３１０は、心拍センサ３０２等からのセンサ情報を正常なパターンと比較する。さらに、発電部３０１の発電情報を使用して、突発的な体調の不良が発生したか否かを判別する。なお、演算部３１０の機能が制御部３０９に組み込まれていてもよい。
【０１０２】
通信部３１１は、携帯端末３００と外部装置４００等との間の通信を行うためのインタフェースである。通信部３１１によってなされる通信は、有線または無線のいずれの通信でもよく、人体等の媒体を介した通信でもよい。
【０１０３】
無線の方式による通信としては、例えば、赤外線を用いた通信や、短距離低消費電力型のＡＮＴ規格による通信、「Ｚ−Ｗａｖｅ」規格による通信、「Ｚｉｇｂｅｅ」規格による通信、「Ｂｌｕｅｔｏｏｔｈ  Ｌｏｗ  Ｅｎｅｒｇｙ」規格による通信、ネットワーク形成が容易な「Ｗｉ  Ｆｉ」による通信などを利用することができるが、これらに限定されるものではない。
【０１０４】
通信部３１１は、データを所定の方式で変調したり、受信したデータを復調する処理を行う。通信部３１１によって処理を施されたデータがアンテナ３１２を介して外部装置４００等へ送信される。外部装置４００から送信されたデータが、アンテナ３１２によって受信される。受信されたデータに対して、通信部３１１による復調処理やエラー訂正処理等の処理が行われる。
【０１０５】
携帯端末３００から外部装置４００へ、例えば、ユーザにトラブルが生じたことを示す緊急信号が送信される。緊急信号の送信先は、外部装置４００に限定されることはない。例えば、予め登録された携帯端末に対して、緊急信号が送信されるようにしてもよい。外部装置４００等は、緊急信号を受信すると、例えば、携帯端末３００に対して発信を行い、ユーザの安否を確認する。ユーザの安否の確認が取れない場合には、携帯端末３００から送信される位置情報に対応する場所へ警備員等を派遣するなどの異常対応処理が行われる。
【０１０６】
「外部装置の構成の一例」
外部装置４００は、例えば、セキュリティセンタである。外部装置４００は、ホストセンタや病院などでもよい。外部装置４００は、携帯端末でもよい。携帯端末は、例えば、警備会社の警備員などによって所持される。外部装置４００は、例えば、制御部４１０、メモリ４２０、表示部４３０および通信部４４０を含む構成とされる。これらの各部は、バス４５０を介して接続されている。通信部４４０は、アンテナ４６０と接続されている。
【０１０７】
制御部４１０は、例えば、ＣＰＵで構成され、外部装置４００の各部を制御する。メモリ４２０は、例えば、制御部４１０のワークエリアとして使用される。メモリ４２０に、制御部４１０によって実行されるプログラムや表示部４３０に表示するための表示データが記憶されてもよい。
【０１０８】
表示部４３０は、例えば、ＬＣＤなどの表示パネルと、表示パネルを駆動するためのドライバを含む。表示部４３０の表示パネルは、比較的、大型とされる。表示部４３０には、例えば、地図データに基づく地図が表示され、携帯端末３００などの位置や、巡回中の警備員の位置などが表示される。
【０１０９】
通信部４４０は、データを所定の方式で変調したり、受信したデータを復調する処理を行う。通信部４４０によって処理を施されたデータがアンテナ４６０を介して他の装置へ送信される。例えば、携帯端末３００や警備員が有する端末に対して、データが送信される。携帯端末３００から送信されたデータが、アンテナ４６０によって受信される。例えば、携帯端末３００から送信された緊急信号や携帯端末の位置情報がアンテナ４６０で受信される。受信された緊急信号や位置情報に対して、通信部４４０による復調処理やエラー訂正処理等の処理が行われる。外部装置４００は、携帯端末３００から送信される位置情報に基づいて、携帯端末３００が存在する位置を取得できる。
【０１１０】
外部装置４００が、時間情報を取得するためのＲＴＣを有する構成としてもよい。外部装置４００が、音声インタフェース、アンプ、スピーカ等を含む音声出力装置を有する構成としてもよい。このように、外部装置４００の構成は適宜、変更することができる。
【０１１１】
外部装置４００は、携帯端末３００からの緊急信号を受信すると、異常対応処理を行う。異常対応処理は、例えば、携帯端末３００に対して発信を行い、携帯端末３００のユーザの安否を確認する。携帯端末３００のユーザの安全が確認できない場合には、携帯端末３００の位置情報に対応する場所へ警備員や医師を派遣する等の処理を行う。
【０１１２】
「携帯端末の処理の一例」
携帯端末３００の処理の一例について説明する。始めに、携帯端末３００のユーザの体調が、突然、悪化する場合を判別する処理について説明する。なお、演算部３１０が有するメモリには、予め、ユーザが健康な状態（正常な状態）における心拍数および発汗量のデータが記憶されている。心拍数や発汗量は、ユーザによって設定されてもよく、携帯端末３００が学習することで設定されるようにしてもよい。
【０１１３】
図１３に示すフローチャートを参照して、処理の流れの一例を説明する。携帯端末３００がユーザに携帯され、携帯端末３００の心拍センサ３０２によってユーザの心拍数が検出される。さらに、発汗センサ３０３によって、ユーザの発汗量が検出される。心拍数および発汗量を示すデータは、リアルタイムに制御部３０９に供給される。制御部３０９は、心拍数および発汗量を示すデータを例えば、デジタル信号に変換する。心拍数および発汗量を示すデータが演算部３１０によってモニタリングされる（ステップＳ１０）。
【０１１４】
発電部３０１は、携帯端末３００の振動に応じて発電する。発電部３０１が発電することで生じる電圧波形が制御部３０９に供給される。制御部３０９は、供給された電圧波形を例えば、デジタル化する。動きを示すデータの一例であるデジタル化された電圧データが、演算部３１０に供給される。演算部３１０は、心拍数および発汗量を示すデータとともに、電圧データをモニタリングする（ステップＳ１０）。なお、ＧＰＳセンサ３０４によって検出される携帯端末３００の位置情報が、外部装置４００に対して周期的に送信される。
【０１１５】
演算部３１０は、心拍数および発汗量の正常範囲の数値をメモリから読み出す。そして、制御部３０９から供給される心拍数および発汗量のデータが正常範囲の数値であるか否かを判断する（ステップＳ１１）。例えば、心拍数および発汗量のデータが正常範囲の数値でない場合には、電圧データが存在するか否かを判断する。ここで、携帯端末３００が振動しない場合、すなわち、ユーザの動きがない場合には、電圧データは略検出されなくなる。心拍数および発汗量のデータが正常範囲の数値でなく、かつ、電圧データが存在しない場合は、演算部３１０は、携帯端末３００のユーザの体調が正常でないと判断し、異常があると判断する（ステップＳ１２）。
【０１１６】
異常があると判断されると、携帯端末３００は異常対応処理を行う（ステップＳ１４）。例えば、携帯端末３００の制御部３０９によって所定のフォーマットの緊急信号が生成され、緊急信号が通信部３１１およびアンテナ３１２を介して、外部装置４００等に送信される。外部装置４００は、緊急信号に応じて異常対応処理を行う。例えば、携帯端末３００に発信し、携帯端末３００のユーザの安否を確認する。ユーザの安否が確認できない場合には、例えば、携帯端末３００から送信される位置情報に対応する場所に医師や警備員を派遣する処理を行う。外部装置４００によって行われる異常対応処理の全てが自動で行われてもよく、一部の処理が人為的に行われてもよい。
【０１１７】
異常がないと判断されると、演算部３１０のメモリの内容が適宜、更新され（ステップＳ１３）、心拍数等のモニタリングが再度、なされる。
【０１１８】
このように、心拍数や発汗量が正常でなく、ユーザの動きがほとんどない場合に、ユーザに突発的な体調の不良が発生したものと判断する。このような場合に、ユーザ自身が何らかの操作を行わなくても、緊急信号を外部装置４００に送信できる。なお、携帯端末３００によって行われる異常対応処理は、緊急信号を送信する処理に限られない。例えば、携帯端末３００から救助を求める音声を再生し、周囲に救助を求める処理が行われるようにしてもよい。
【０１１９】
なお、所定の時間（例えば、１０分程度）、電圧データが観測されない場合に、心拍数や発汗量が正常範囲の数値であるか否かの判断がなされるようにしてもよい。センサ情報と発電情報を併用した判断を行うことで、ユーザの異常を判断する処理の精度を向上させることができる。
【０１２０】
「第２の実施形態の変形例」
第２の実施形態は、例えば、以下のように変形できる。例えば、センサ情報として、ＧＰＳセンサ３０４によって取得される位置情報や、地磁気センサ３０５の情報を使用してもよい。なお、センサ情報には、各センサから供給される情報そのものでもよく、各センサから供給される情報に対して所定の演算がなされることで得られる情報でもよい。
【０１２１】
演算部３１０は、例えば、発電部３０１が発電する間隔が短いと、ユーザが走行していると判別する。演算部３１０は、地磁気センサ３０５により取得されるセンサ情報から、ユーザの進行方向の変化を取得する。演算部３１０は、例えば、ユーザが走行中または頻繁に進行方向の変化が激しい状態であり、かつ、心拍数および発汗量の少なくとも一方が異常を示す場合には、ユーザが不審者に遭遇し、不審者を避けるための退避行動をとっていると判断する。このような場合に、携帯端末３００は、防犯用のブザーを鳴らしたり、緊急信号を送信するようにしてもよい。なお、異常の有無を判別する際の発電情報やセンサ情報の組合せは、適宜、変更することができる。
【０１２２】
ユーザに対して生じるトラブルとして、ユーザが交通事故に遭遇した場合の例について、図１４に示すフローチャートを参照して説明する。携帯端末３００において、ＧＰＳセンサ３０４によって取得される情報から、ユーザの位置情報の変化がわかり、変化の度合いからユーザの速度の変化に関する情報が取得される。さらに、地磁気センサ３０５によって取得される情報からユーザの進行方向の変化に関する情報が取得される。ユーザの速度の変化に関する情報およびユーザの進行方向の変化に関する情報がユーザの動きに関する情報として取得される。なお、演算部３１０が有するメモリには、動きの情報に関する正常範囲の数値が記憶される。
【０１２３】
動きに関する情報、心拍数および発汗量が演算部３１０によってモニタリングされる（ステップＳ２０）。そして、正常範囲の数値との比較が行われる（ステップＳ２１）。ここで、例えば、速度の変化および進行方向の変化の少なくとも一方が正常範囲でなく、かつ、心拍数および発汗量の少なくとも一方が正常範囲でない場合には、ユーザに異常が生じたと判断される（ステップＳ２２）。なお、異常を判断するために、速度の変化等のパラメータをどのように組み合わせるかについては適宜、変更できる。異常があると判断されると、緊急信号を送信する処理や、周囲に救助を求める音声を再生する等の異常対応処理が行われる（ステップＳ２６）。
【０１２４】
ステップＳ２２において、ユーザに異常がない場合は、発電部３０１が発電することによって生じる電圧波形の最大レベルが、演算部３１０によって計測される。電圧波形の最大レベルが閾値より大きいか否かの判断が行われる（ステップＳ２３）。電圧波形の最大レベルが所定の閾値以下である場合は、演算部３１０のメモリの内容が適宜、更新される（ステップＳ２５）。そして、動きに関する情報等に対するモニタリングがなされる（ステップＳ２０）。
【０１２５】
電圧波形の最大レベルが閾値より大きい場合は、処理がステップＳ２４に進む。ここで、電圧波形の最大レベルが閾値より大きいことは、携帯端末３００を携帯するユーザに対して強い衝撃が加わったことを示す。例えば、ユーザに対して自動車や自転車などが衝突したことが想定される。なお、発電部３０１に対して所定のレベルの衝突が印加される実験などが予め行われ、実験の結果などに応じて閾値が適切に決定される。
【０１２６】
発電部３０１が無発電状態になったか否かが判断される（ステップＳ２４）。無発電状態とは、発電部３０１が発電しない状態、または、発電部３０１が微小のレベルの発電しかしない場合を含む意味である。無発電状態でなければ、メモリの内容が適宜、更新される（ステップＳ２５）。発電部３０１が無発電状態の場合は、異常対応処理が行われる（ステップＳ２６）。
【０１２７】
ステップＳ２３の判断の結果が肯定であることから、ユーザに対して強い衝撃が加わったことが想定される。さらに、ステップＳ２４の判断の結果が肯定であることから、携帯端末３００がほとんど振動しない、すなわち、ユーザがほぼ動かない状態になったことが想定される。以上から、演算部３１０は、ユーザが交通事故に遭遇したり、階段から落下したこと等によってダメージを受け、動けない状態であると判断する。
【０１２８】
このような場合に、例えば、周囲に救助を求める音声を再生したり、外部装置４００に救助信号を送信する等の異常対応処理が行われる（ステップＳ２６）。交通事故に遭遇したり、階段から落下した等によりユーザが動けない状態になっても、周囲や外部装置４００に自動で救助を求めることができる。
【０１２９】
なお、ステップＳ２３の処理において、電圧波形の最大レベルの変化量を観測してもよい。電圧波形の最大レベルの変化量が所定の閾値を超える場合には、電圧波形の最大レベルが瞬時に増加したことを示す。このような場合には、携帯端末３００を携帯するユーザに大きな衝撃が加わったものと判断してもよい。
【０１３０】
センサとして、他のセンサを使用してもよい。例えば、体温センサを使用してもよい。例えば、体温センサによって高い体温が取得される場合には、ユーザが激しく動いていると判断してもよい。さらに、体温センサによって、通常の体温より低い体温が取得される場合には、ユーザの体温が低下し、ユーザの体調に異常が生じたものと判断してもよい。また、ここでの体調の異常には、ストレスなどの心因性の正常および異常の判定も含まれる。
【０１３１】
携帯端末３００の心拍センサ３０２等から得られるセンサ情報の履歴を記憶するようにしてもよい。携帯端末３００を、適切な運動量を報知する機器や体調管理のための機器として使用してもよい。さらに、無発電状態が一定時間、継続した場合に、異常対応処理が行われるようにしてもよい。
【０１３２】
携帯端末３００が、発電情報およびセンサ情報を外部装置４００に送信してもよい。外部装置４００が発電情報およびセンサ情報を使用して、携帯端末３００のユーザに生じる異常を判別するようにしてもよい。外部装置４００を判別装置として機能させることができる。
【０１３３】
＜３．第３の実施形態＞
次に、第３の実施形態について説明する。第３の実施形態は、自動車等の車両に生じた異常を判別する例である。
【０１３４】
「第３の実施形態の概要」
図１５を使用して、第３の実施形態の概要について説明する。図１５Ａに示すように、道路上を車両Ｃが走行する。道路の所定の場所には、壁部Ｗが立設されている。車両Ｃのドライバの運転ミス等によって、車両Ｃが壁部Ｗに衝突することを想定する。
【０１３５】
図１５Ｂは、車両Ｃの速度を示す。例えば、車両Ｃが略一定の速度で走行する。ここで、車両Ｃが壁部Ｗに衝突し事故を起こした場合には車両Ｃの走行が不可能となり、車両Ｃの速度が略０になる。
【０１３６】
図１５Ｃは、車両Ｃが有する発電部の発電量または発電部の検出出力を示す。車両Ｃの走行に伴う振動に応じて、発電部が略一定のレベルで発電する。車両Ｃが壁部Ｗに衝突すると、衝突に伴う大きな衝撃によって車両Ｃの発電部の発電量が瞬間的に増加する。衝突後は、車両Ｃは停止した状態となるため、車両Ｃの発電部が発電する発電量は略０になる。
【０１３７】
図１５Ｄは、車両Ｃが有する蓄電素子の蓄電量を示す。車両Ｃが走行することに応じて発電部が発電し、蓄電素子が蓄電される。蓄電素子の蓄電量は、例えば、略リニアに増加する。発電部の発電量は、車両Ｃの衝突時に瞬間的に増加する。このため、蓄電素子の蓄電量も増加する。なお、車両Ｃが壁部Ｗに衝突した後は、蓄電量は略変化しないが、蓄電素子が放電されることで蓄電量が減少することもあり得る。
【０１３８】
「車載装置の構成の一例」
図１６は、判別装置の一例である車載装置の主要な構成の一例を示す。車載装置５００は、例えば、上述した車両Ｃに搭載される装置である。車載装置５００は、後述するように外部装置６００等と通信を行うことができる。外部装置６００は、交通管理センタやセキュリティセンタなどである。外部装置６００は、携帯端末でもよい。
【０１３９】
車載装置５００は、発電部５０１を有する。発電部５０１は、例えば、圧電素子（モノモルフ型、バイモルフ型、積層型など）により構成され、車両Ｃの走行に伴う振動に応じて発電する。
【０１４０】
発電部５０１は、圧電素子に限定されることはない。発電部５０１は、例えば、磁歪素子、車両Ｃの車体表面・排気系統・冷却系統、エンジンルームなどの温度差や温度変化などで発電する熱電変換素子（ゼーベック効果やスピンゼーベック効果を利用するものなど）、焦電素子、熱電子発電素子や外燃機関（熱音響発電やスターリングエンジン発電）、電子機器や各可動部が発する電磁波でもよい。外部と通信を行う装置が発する電磁波により発電する発電機構としてはレクテナ、電磁誘導、磁界共鳴などを利用する発電機などでもよい。発電素子が、これらの１種以上の組み合わされたハイブリッドタイプの発電素子であってもよい。ユーザの動作により発電する発電機構としては、電磁誘導現象やエレクトレットなどを利用する発電機が挙げられる。発電部５０１が、発電素子と機械的機構との組み合わせによる発電モジュールとして構成されていてもよい。
【０１４１】
発電部５０１は、例えば、車両Ｃのサスペンションの近傍に取り付けられる。サスペンションに伝達される振動によって発電部５０１が振動し、発電する。発電部５０１は、車両Ｃの走行に応じて発生する振動周波数と略一致する共振周波数を有するように、その長さや形状、重量が規定される。さらに、発電部５０１が取り付けられる位置における振動周波数を考慮して、発電部５０１の共振周波数が調整される。例えば、サスペンションのバネ上に発電部５０１が取り付けられる場合と、サスペンションのバネ下の車軸等に発電部５０１が取り付けられる場合とでは、振動周波数が異なる。取り付け場所の振動周波数の違いを考慮して、発電部５０１の共振周波数が適切に設定される。
【０１４２】
車載装置５００は、さらに、整流回路５０２、蓄電素子５０３および定電圧回路５０４を含む構成とされる。例えば、整流回路５０２、蓄電素子５０３および定電圧回路５０４により、電源部が構成される。車載装置５００は、制御部５０５、演算部５０６、通信部５０７およびアンテナ５０８を含む構成とされる。
【０１４３】
車載装置５００は、車両Ｃの状況を検出するセンサとして、例えば、ＧＰＳセンサ５０９、加速度センサ５１０、角速度センサ５１１および地磁気センサ５１２を有する。車載装置５００が、例示されたセンサを全て有する必要はない。例示されたセンサのうち、一部のセンサを車載装置５００が有する構成としてもよい。
【０１４４】
ＧＰＳセンサ５０９は、車両Ｃの位置情報を取得する。加速度センサ５１０は、車両Ｃに作用する力等により車両Ｃの加速度を取得する。角速度センサ（ジャイロセンサ）５１１は、車両Ｃの初期方向からの姿勢の変化を取得する。地磁気センサ５１２は、車両Ｃの進行方向を取得する。これらのセンサによって取得されるセンサ情報が制御部５０５に供給される。なお、ＧＰＳセンサ５０９、加速度センサ５１０、角速度センサ５１１、地磁気センサ５１２を適宜、センサ部と総称することがある。
【０１４５】
整流回路５０２は、発電部５０１で発生された電圧を整流する回路である。整流回路５０２は、例えば、ダイオードやダイオードブリッジから構成される。
【０１４６】
蓄電素子５０３は、例えば、電気二重層キャパシタ、リチウムイオンキャパシタ、ポリアセン系有機半導体（Polyacenic Semiconductor（ＰＡＳ））キャパシタ、ナノゲートキャパシタ、セラミックコンデンサ、フィルムコンデンサ、アルミ電解コンデンサ、タンタルコンデンサなどである。蓄電素子５０３は、整流回路５０２から出力される直流電圧により蓄電する。
【０１４７】
定電圧回路５０４は、蓄電素子５０３の出力電圧を所定の電圧に変換して、出力電圧を安定させる回路である。定電圧回路５０４からの出力電圧が、例えば、制御部５０５、演算部５０６、通信部５０７およびセンサ部に供給される。
【０１４８】
発電部５０１が発電した電力を蓄電し、蓄電した電力を車載装置５００の各部に対して供給することができる。このため、例えば、車載装置５００を動作させるための電池を不要とすることができ、電池の交換や電池の充電を行う必要がない。なお、本開示は、電池の使用を絶対的に排除するものではない。車載装置５００では、実際上は、充電可能な二次電池が使用される。しかしながら、電池を使用した場合でも、車載装置５００の各部に対して発電部５０１からの電力が供給されるため、電池の消耗や電池の劣化を抑制できる。
【０１４９】
制御部５０５は、例えば、ＣＰＵによって構成され、車載装置５００の各部を制御する。制御部５０５は、車載装置５００の各部と、例えば、ＣＡＮ（Controller Area Network）通信を行うことでデータやコマンドのやり取りを行う。制御部５０５には、発電部５０１からの発電情報が供給される。また、制御部５０５には、センサ部からのセンサ情報が供給される。制御部５０５は、発電情報やセンサ情報を、適宜、デジタル信号に変換し、デジタル化された発電情報やセンサ情報を演算部５０６に供給する。
【０１５０】
演算部５０６は、発電部５０１から供給される発電情報を使用して、例えば、車両Ｃが事故を起こしたか否かを判断する。車両Ｃが事故を起こしたと判断すると、車両Ｃが事故を起こしたことを示す通知信号を生成する。演算部５０６は、生成した通知信号を制御部５０５に供給する。なお、演算部５０６の機能が制御部５０５に組み込まれていてもよい。
【０１５１】
通信部５０７は、車載装置５００と外部装置６００等との間の通信を行うためのインタフェースである。通信部５０７によってなされる通信は、例えば、無線を使用して行われる。無線の方式による通信としては、例えば、赤外線を用いた通信や、短距離低消費電力型のＡＮＴ規格による通信、「Ｚ−Ｗａｖｅ」規格による通信、「Ｚｉｇｂｅｅ」規格による通信、「Ｂｌｕｅｔｏｏｔｈ  Ｌｏｗ  Ｅｎｅｒｇｙ」規格による通信、ネットワーク形成が容易な「Ｗｉ  Ｆｉ」による通信などを利用することができる。もちろん、これらの規格や方式に基づく通信に限定されるものではない。
【０１５２】
通信部５０７は、データを所定の方式で変調したり、受信したデータを復調する処理を行う。通信部５０７によって処理を施されたデータがアンテナ５０８を介して外部装置６００等へ送信される。外部装置６００から送信されたデータが、アンテナ５０８によって受信される。受信されたデータに対して、通信部５０７による復調処理やエラー訂正処理等の処理が行われる。
【０１５３】
車載装置５００の構成は一例であり、図示した構成に限定されるものではない。なお、図１６では、例えば、カーオーディオやカーナビゲーションに係る構成や、ハンドル、レバーなどの操作に係る構成などの図示を適宜、省略している。
【０１５４】
車載装置５００の演算部５０６は、発電部５０１の発電情報に応じて、車両Ｃが事故を起こしたか否かを判断する。車両Ｃが事故を起こしたと判断されると、演算部５０６は通知信号を制御部５０５に供給する。制御部５０５は、通知信号に応じて緊急信号を生成する。制御部５０５は、緊急信号を通信部５０７およびアンテナ５０８を介して外部装置６００に送信する。
【０１５５】
「外部装置の構成の一例」
外部装置６００は、例えば、セキュリティセンタや交通管理センタである。外部装置６００は、警察署などでもよい。外部装置６００は、携帯端末でもよい。携帯端末は、例えば、車載装置５００によって予め登録された端末である。外部装置６００は、例えば、制御部６１０、メモリ６２０、表示部６３０および通信部６４０を含む構成とされる。これらの各部は、バス６５０を介して接続されている。通信部６４０は、アンテナ６６０と接続されている。
【０１５６】
制御部６１０は、例えば、ＣＰＵで構成され、外部装置６００の各部を制御する。メモリ６２０は、例えば、制御部６１０のワークエリアとして使用される。メモリ６２０に、制御部６１０によって実行されるプログラムや表示部６３０に表示するための表示データが記憶されてもよい。
【０１５７】
表示部６３０は、例えば、ＬＣＤなどの表示パネルと、表示パネルを駆動するためのドライバを含む。表示部６３０の表示パネルは、比較的、大型とされる。表示部６３０には、例えば、地図データに基づく地図が表示される。地図には、車両Ｃ等が存在する位置が重畳されて表示される。
【０１５８】
通信部６４０は、データを所定の方式で変調したり、受信したデータを復調する処理を行う。通信部６４０によって処理を施されたデータがアンテナ６６０を介して他の装置へ送信される。例えば、車載装置５００に対して、データが送信される。車載装置５００から送信されたデータが、アンテナ６６０によって受信される。例えば、車載装置５００から送信された緊急信号や車載装置５００の位置情報がアンテナ６６０で受信される。受信された緊急信号や位置情報に対して、通信部６４０による復調処理やエラー訂正処理等の処理が行われる。外部装置６００は、車載装置５００から送信される位置情報に基づいて、車載装置５００が存在する位置を取得できる。
【０１５９】
外部装置６００が、時間情報を取得するためのＲＴＣを有する構成としてもよい。音声インタフェース、アンプ、スピーカ等を含む音声出力装置を有する構成としてもよい。このように、外部装置６００の構成は適宜、変更することができる。
【０１６０】
外部装置６００は、車載装置５００からの緊急信号を受信すると、異常対応処理を行う。異常対応処理は、車載装置５００の位置情報に対応する場所へ交通管理員等を派遣する処理や、車載装置５００の位置情報に対応する場所で事故が生じたことを放送等によって他のユーザに知らせる処理である。
【０１６１】
「車載装置の処理の一例」
図１７のフローチャートを参照して、車載装置５００の処理の一例について説明する。車両Ｃが走行を開始する（ステップＳ３０）。車両Ｃが走行することに応じて、車両Ｃが振動する。車両Ｃの振動に応じて発電部５０１が発電する。発電部５０１が発電することで生成される電圧波形が制御部５０５に供給される。制御部５０５は、電圧波形を例えばデジタル信号に変換する。デジタル信号に変換された電圧波形が演算部５０６に供給される。
【０１６２】
なお、例えば、ＧＰＳセンサ５０９により取得された車両Ｃの位置情報は、制御部５０５、通信部５０７およびアンテナ５０８を介して外部装置６００に送信される。車両Ｃの位置情報は、例えば、周期的（例えば、１分間隔）に外部装置６００に送信される。
【０１６３】
演算部５０６は、電圧波形に基づいて発電部５０１の発電量を取得し、発電量をモニタリングする（ステップＳ３１）。通常の走行では、発電部５０１の発電量は略一定である。
【０１６４】
演算部５０６は、発電量に変化があるか否かを判断する（ステップＳ３２）。変化がない場合には、発電量をモニタリングする処理が継続される（ステップＳ３１）。発電量の変化がある場合は、発電量の変化が閾値より大きいか否かが判断される（ステップＳ３３）。閾値は、例えば、以下のようにして設定される。車両Ｃが壁部Ｗ等に衝突したときの衝撃のレベルと略同レベルの衝撃を与えたときの、発電部５０１の発電量を測定する。このときの発電量と、車両Ｃの通常の走行時における発電部５０１の発電量の差を閾値として設定する。
【０１６５】
発電量の変化が閾値以下である場合には、発電量をモニタリングする処理が継続される（ステップＳ３１）。例えば、車両Ｃが信号によって停止した場合などは、発電量が略０になる。しかしながら、例えば、上述したように閾値を設定することで、通常の発電量が略０に変化した場合でも、その変化量は閾値より小さくすることができる。このため、車両Ｃが信号によって停止した場合に、誤って異常と判断されることを防止できる。
【０１６６】
発電量の変化が閾値より大きい場合には、演算部５０６は、車両Ｃに対して強いレベルの衝撃が加わったと判断する。このような場合は、車両Ｃが壁部Ｗなどに衝突したことが想定されるが、危険を回避するために急ブレーキをかけられ、車両Ｃに対して大きな制動力が加わる場合にも起こり得る。このため、演算部５０６は、発電部５０１が無発電状態になったか否かを判断する（ステップＳ３４）。無発電状態とは、発電部５０１の発電量が０または略０である状態を示す。
【０１６７】
発電部５０１が無発電状態ではなく、発電する場合には、車両Ｃが再度、走行可能な状態になったと判断する。そして、発電部５０１の発電量が再度、モニタリングされる（ステップＳ３１）。発電部５０１が無発電状態である場合には、車両Ｃが走行不能な状態になったと判断する。すなわち、車両Ｃに強いレベルの衝撃が加わり、かつ、車両Ｃが走行不能な状態になったことから、演算部５０６は、車両Ｃが事故にあったものと判断する。そして、車載装置５００における異常対応処理が行われる（ステップＳ３５）。
【０１６８】
異常対応処理は、例えば、外部装置６００に事故を起こしたことを報知する処理である。例えば、演算部５０６は、車両Ｃが事故にあったものと判断すると、その旨を制御部５０５に通知する。制御部５０５は、この通知に応じて事故発生信号を生成する。事故発生信号が通信部５０７およびアンテナ５０８を介して、外部装置６００に送信される。
【０１６９】
外部装置６００は、事故発生信号に応じて、外部装置６００における異常対応処理を行う。例えば、車載装置５００から送信される位置情報に基づいて、車載装置５００が存在する場所を特定する。車載装置５００が存在する場所に警察官や警備員を派遣する処理が行われる。異常対応処理として他の処理が行われてもよい。
【０１７０】
例えば、車載装置５００が存在する場所で事故が生じたことを、他の車両のドライバに報知するようにしてもよい。例えば、放送やナビゲーションシステムを利用して、他の車両のドライバに対する報知がなされる。予め登録された、車載装置５００のユーザの携帯電話等に発信がなされ、ユーザの安否の確認がなされるようにしてもよい。
【０１７１】
「第３の実施形態の変形例」
第３の実施形態は、例えば、以下のような変形が可能である。例えば、車載装置５００から外部装置６００に対して事故発生信号を送信する際に、ＧＰＳセンサ５０９により取得される車載装置５００の位置情報を送信してもよい。さらに、加速度センサ５１０などの他のセンサによって取得されるセンサ情報が外部装置６００に送信されるようにしてもよい。
【０１７２】
発電部５０１の発電量ではなく、発電の最大レベルをモニタリングするようにしてもよい。最大レベルが所定のレベルを上回る場合に、車両Ｃに大きな衝撃が加わったと判断するようにしてもよい。
【０１７３】
車載装置５００から外部装置６００に対して、リアルタイムもしくは周期的に、発電部５０１の発電量を示す情報を送信してもよい。そして、外部装置６００によって、車両Ｃが事故などに遭遇したか否かを判断してもよい。外部装置６００を判別装置として構成できる。
【０１７４】
＜４．変形例＞
以上、本開示の一実施形態について説明したが、本開示は、上述した実施形態に限られることなく、種々の変形が可能である。以下、変形例について説明する。
【０１７５】
位置情報を取得する方法は、ＧＰＳセンサによって取得される位置情報を使用する方法に限られない。例えば、携帯電話等の基地局や無線ＬＡＮ(Local Area Network)のホットスポット、長距離無線ＬＡＮの基地局の位置情報を、携帯端末等のユーザの現在地としてもよい。無線ＬＡＮの場合には、多くの登録アクセスポイント網を利用するPlace Engine（登録商標）のシステムを利用することができる。これらの情報とＧＰＳセンサによって取得される位置情報とを併用し、携帯端末等のユーザの現在地を精度よく推定できる。
【０１７６】
本開示は、不審者の有無やユーザの体調の不良等を判別するだけでなく、他の様々な異常の有無を判別する装置として、広く応用が可能である。
【０１７７】
本開示は、装置のほか、方法や複数の装置からなるシステムとして実現することができる。さらに、本開示は、例示した処理が複数の装置によって分散して処理される、いわゆるクラウドシステムに対して適用することができる。例えば、例示した処理の全部または一部が行われるシステムであって、その全部または一部の処理のうち、一部の処理が行われる装置として構成することもできる。
【０１７８】
なお、実施形態および変形例における構成および処理は一例であり、技術的矛盾が生じない範囲で適宜、構成等の追加、削除または変更することができる。さらに、実施形態および変形例において例示した構成、材料、通信の方式等は、技術的矛盾が生じない範囲で適宜、組み合わせることができる。
【０１７９】
本開示は、以下の構成をとることもできる。
（１）
発電部からの発電情報に応じて、異常の有無を判別する判別部を有する判別装置。
（２）
複数の発電素子が接触部材に配されることにより、前記発電部が形成される（１）に記載の判別装置。
（３）
前記接触部材上の所定部分を移動体が移動することにより、前記所定部分に対応する前記発電素子が発電する（２）に記載の判別装置。
（４）
前記発電情報は、前記発電した前記発電素子の位置情報であり、
前記判別部は、
前記位置情報に応じて、前記異常の有無を判別する（３）に記載の判別装置。
（５）
前記発電情報は、前記発電した前記発電素子の発電量であり、
前記判別部は、
前記発電した前記発電素子の発電量に応じて、前記異常の有無を判別する（３）に記載の判別装置。
（６）
前記複数の発電素子が前記接触部材にマトリクス状に配される（２）〜（５）のいずれか１に記載の判別装置。
（７）
前記発電素子は、前記移動体の移動に伴って印加される圧力により発電する（３）〜（６）のいずれか１に記載の判別装置。
（８）
前記判別部は、
前記発電情報およびセンサ部からのセンサ情報に応じて、前記異常の有無を判別する（１）に記載の判別装置。
（９）
前記センサ情報は、ユーザの位置、ユーザの進行方向およびユーザの身体の状況の少なくとも一つを示す情報である（８）に記載の判別装置。
（１０）
前記発電情報は、発電量の変化を示す情報であり、
前記判別部は、
前記発電量の変化が閾値より大きい場合に、前記異常が有ると判別する（１）に記載の判別装置。
（１１）
移動体の位置情報を取得する位置情報取得部と、
少なくとも、前記異常が有ると判別された場合に、前記位置情報を他の装置に送信する送信部と
を有する（１０）に記載の判別装置。
（１２）
前記発電部から前記判別部に対して電力が供給される（１）〜（１１）のいずれか１に記載の判別装置。
（１３）
前記判別部により前記異常が有ると判別された場合に、前記異常に対応する処理を行う処理部を有する（１）〜（１２）のいずれか１に記載の判別装置。
（１４）
前記発電部は、周囲の環境に存在するエネルギーに基づいて発電する（１）〜（１３）のいずれか１に記載の判別装置。
（１５）
発電部からの発電情報に応じて、異常の有無を判別する判別装置における判別方法。
（１６）
周囲の環境に存在するエネルギーに基づいて発電する発電部と、
前記発電部からの発電情報に応じて、異常の有無を判別する判別部と
を有する判別システム。
【符号の説明】
【０１８０】
１・・・発電床
１００・・・判別装置
１１０・・・発電部
１６０・・・演算部
２００・・・外部装置
３００・・・携帯端末
３０１・・・発電部
３０２・・・心拍センサ
３０３・・・発汗センサ
３０４・・・ＧＰＳセンサ
３０５・・・地磁気センサ
３１０・・・演算部
４００・・・外部装置
５００・・・車載装置
５０１・・・発電部
５０６・・・演算部
５０９・・・ＧＰＳセンサ
６００・・・外部装置
Ｕ・・・ユーザ
ＳＵ・・・不審者
Ｃ・・・車両
Ｗ・・・壁部
【図１】
0006050008.tif 000002
【図２】
0006050008.tif 000003
【図３】
0006050008.tif 000004
【図４】
0006050008.tif 000005
【図５】
0006050008.tif 000006
【図６】
0006050008.tif 000007
【図７】
0006050008.tif 000008
【図８】
0006050008.tif 000009
【図９】
0006050008.tif 000010
【図１０】
0006050008.tif 000011
【図１１】
0006050008.tif 000012
【図１２】
0006050008.tif 000013
【図１３】
0006050008.tif 000014
【図１４】
0006050008.tif 000015
【図１５】
0006050008.tif 000016
【図１６】
0006050008.tif 000017
【図１７】
0006050008.tif 000018